(57)【要約】      （修正有）【課題】傾斜部分を曲がり易くし、安定的に使用することができ、使用者の鼻に正確に押し付けるマスクを提供する。【解決手段】マスクは、左右の耳掛け部２０と鼻口を遮蔽する中央遮蔽部４０とを有するマスク本体１と、中央遮蔽部４０に配置される先細り状の押え片５０と、を有し、押え片５０の左右延長部５２の先端となる先端部５３は、頬当部３０と中央遮蔽部４０との接続位置４４の下方かつ中央側に位置する。【選択図】図３
0003233473.tif 000002
【実用新案登録請求の範囲】
【請求項１】
左右の耳掛け部と鼻口を遮蔽する中央遮蔽部とを有するマスク本体と、前記中央遮蔽部に配置される押え片と、を有し、
前記押え片は、押え片中央部より左右に向う左右延長部を有し、前記左右延長部は先端に向かうに従って先細り状となることを特徴とするマスク。
【請求項２】
マスク本体の中央遮蔽部の上縁である中央上縁線と、先端に向うに従って先細り状となる押え片の左右延長部の延長部上縁線が並行となることを特徴とする請求項１に記載のマスク。
【請求項３】
マスク本体は、左右の耳掛け部と中央遮蔽部との間に頬当部を有し、前記頬当部の上縁となる頬当上縁線と中央遮蔽部の中央上縁線とは接続位置を介して連続するものであって、
前記中央上縁線は、接続位置を起点に頬当部上縁線より上方に傾斜し、
押え片の左右延長部の先端となる先端部は、前記接続位置の下方かつ中央側に位置することを特徴とする請求項２に記載のマスク。
【請求項４】
押え片は可撓性を有する金属片であって、前記押え片の表面側に被覆材を配したことを特徴とする請求項２または３のいずれか一項に記載のマスク。
【請求項５】
被覆材は、押え片の左右延長部を接着し、押え片中央部の表面との間に空隙を有することを特徴とする請求項４に記載のマスク。
【考案の詳細な説明】
【技術分野】
【０００１】
本考案は、使用者の鼻、口を覆う飛沫防止用のマスクであって、使用者の鼻形状に合わせて使用状態を固定できるものに関する。
【背景技術】
【０００２】
従来からノーズフィット部材を用いたマスクが提供されている（特許文献１）。特許文献１に開示されるマスクに用いるノーズフィット部材は、中央遮蔽部分と両端部分との幅長さを同じくする横長の板部材であり、マスクの上縁付近に配されている。
【先行技術文献】
【特許文献】
【０００３】
【特許文献１】登録実用新案第３１２１４０３号公報
【考案の概要】
【考案が解決しようとする課題】
【０００４】
特許文献１のマスクはノーズフィット部材が開示されたものであるが、単なる横長状部材をマスク中央上縁付近に配するもので、使用者の鼻に正確に押し付ける最適なものではなかった。すなわち、鼻に正確に押し付けるためには鼻筋にあたる鼻筋部分から両側が下方に傾斜する傾斜部分にしているが、鼻筋部分の固定を強固にし、傾斜部分を曲がり易くし、安定的に使用できることが必要である。そこで、使用者の鼻に正確に押し付ける最適なマスクが求められてきた。
【課題を解決するための手段】
【０００５】
本考案のマスクは、左右の耳掛け部と鼻口を遮蔽する中央遮蔽部とを有するマスク本体と、前記中央遮蔽部に配置される押え片と、を有し、前記押え片は、押え片中央部より左右に向う左右延長部を有し、前記左右延長部は先端に向かうに従って先細り状となることを特徴とする。
【０００６】
また、マスク本体の中央遮蔽部の上縁である中央上縁線と、先端に向うに従って先細り状となる押え片の左右延長部の延長部上縁線が並行となることが好ましい。
【０００７】
また、マスク本体は、左右の耳掛け部と中央遮蔽部との間に頬当部を有し、前記頬当部の上縁となる頬当上縁線と中央遮蔽部の中央上縁線とは接続位置を介して連続するものであって、前記中央上縁線は、接続位置を起点に頬当部上縁線より上方に傾斜し、押え片の左右延長部の先端となる先端部は、前記接続位置の下方かつ中央側に位置することが好ましい。
【０００８】
また、押え片は可撓性を有する金属片であって、前記押え片の表面側に被覆材を配したことが好ましい。
【０００９】
また、被覆材は、押え片の左右延長部を接着し、押え片中央部の表面との間に空隙を有することが好ましい。
【考案の効果】
【００１０】
請求項１に記載の考案により、押え片の形態が中央から両側に向って上下幅を徐々に幅狭にする形態により、横長の略菱形の形態としている。最も上下幅が長い中央遮蔽部が鼻筋部分を保持することで、安定的な押し付けて保持が可能になり、両側の左右延長部の上下幅を短くすることで折曲を容易にして鼻の傾斜形態に容易に対応することができ、使用者の鼻への押し付けを正確にして最適な押し付けを実現することができる。
【００１１】
請求項２に記載の考案により、鼻の傾斜に応じて押え片を変形させたときにマスク本体の上縁が押え片の変形に対応することとなり、押え片により正確にマスク本体による鼻口を遮蔽することが可能になる。この遮蔽により押え片より上方に余分なマスク本体の遊びしろが無くなり、マスクのフィット感を高めることが可能になる。
【００１２】
請求項３に記載の考案により、押え片の左右の先端縁部がマスク本体の中央遮蔽部と頬当部との間となる接続位置の下方に位置することにより、押え片の先端部が使用者の鼻と頬との間の凹みに位置して安定的に保持することが可能になる。この凹みに先端縁部を差し込むように位置させることで、押え片がずれ難く、鼻元にフィットさせることが可能になり、余分な湾曲を必要とせずに安定的な遮蔽が可能になる。
【００１３】
請求項４に記載の考案により、被覆材を押え片の上面に配することで、使用前の包装状態で包装袋への引っ掛かりで破損することを防止し、取り外し時の接触や使用状態の転倒等による押え片が破損することを防止し、より安全なマスクを提供することができる。
【００１４】
請求項５に記載の考案により、押え片の中央の表面に被覆材との間に空隙が形成されることにより、押え片の両側部分の折曲を何度も行うことで頂点となる位置でフィルムが剥がれ落ちることを防止し、両側部分の折曲を複数回行っても被覆材の積層状態を保持することが可能になる。
【図面の簡単な説明】
【００１５】
【図１】本考案のマスクの一例を示す全体斜視図である。
【図２】本考案のマスクの両側の耳掛け部を開いた正面図である。
【図３】本考案のマスクを二つ折りにした状態の右側面図である。
【図４】図３の一部拡大した状態を示す右側面図である。
【図５】本考案のマスクを着用した状態を示す正面図である。
【図６】本考案の押え片と被覆材との接触状態を示す概略断面図であり、（ａ）は図２のＺ−Ｚ線における空隙を示すもの、（ｂ）は図２のＹ−Ｙ線における積層状態を示すものである。
【考案を実施するための形態】
【００１６】
本考案の実施の形態について図面を用いて説明する。なお、本説明において、図２の耳掛け部２０，２０に向かう方向を左右、押え片５０を上とし、同図の縫製部分（湾曲線）４５がある部分を中央としている。
【００１７】
図１、２に示すように、本考案は、マスク本体１と押え片５０とからなる。マスク本体１は、ポリエステルやポリウレタンなどの合成樹脂製の素材からなり、左側本体と右側本体を中央で縫製して１つマスク形状に立体的に成形する。本実施形態は、マスク本体１の左側と右側とを分割して成形したうえで両者を縫製して完成しているが、全体を一体的に成形するものでもよく、分割成形したとしても縫製以外の圧着等の手法でつなぎ合わせたものでもよい。
【００１８】
本実施形態のマスク本体１は、両側に楕円形上の開口を有する２つの耳掛け部２０，２０、各々の耳掛け部２０，２０の中央側（縫製部分側）には耳掛け部２０，２０から連続する頬当部３０，３０、各々の頬当部３０，３０の中央側には使用者の鼻や口元を覆う中央遮蔽部４０，４０を有する。分割された中央遮蔽部４０，４０間は、マスク本体１の左右方向中央位置で縫製されており、この縫製部分（湾曲線）４５によりマスク本体１を２つに折り曲げ容易にしている。
【００１９】
図３に示すように、マスク本体１を縫製部分（湾曲線）４５で折り畳んだ状態でマスク本体１の耳掛け部２０、頬当部３、中央遮蔽部４０の形態を説明する。
【００２０】
図面上右側となる耳掛け部２０は、上縁２１と下縁２２とを有し、中央に楕円形上の耳掛け孔２３を有する円形枠状の部分である。本実施形態の耳掛け部２０は、中央遮蔽部４０、頬当部３０と連続する素材で形成したものであるが、頬当部３０からバンド状部材を配して耳掛けを行うものやその他の形態であってもよい。
【００２１】
次に、頬当部３０について説明する。頬当部３０は、耳掛け部２０の上縁２１から連続する頬当上縁線３１と、耳掛け部２０の下縁２２から連続する頬当部３０の下縁３２と、に囲まれる部分である。頬当部３０は、マスク本体１を使用者が使用した場合に、顔面の頬の表面に当接する部分となる。本実施形態の耳掛け部２０の上縁２１と頬当部３０の頬当上縁線３１とは連続する同じ曲率半径の湾曲線としているが、耳掛け部２０の上縁２１から折曲して頬当上縁線３１が形成されていたり、頬当上縁線３１が直線状に形成されていてもよい。
【００２２】
次に、中央遮蔽部４０について説明する。中央遮蔽部４０は、頬当部３０の上縁である頬当上縁線３１から連続する中央上縁線４１と、頬当部３０の下縁３２から連続する中央遮蔽部４０の下縁４２と、に囲まれる部分である。本実施形態の中央上縁線４１は直線状であり、湾曲線となる頬当上縁線３１とは異なる。中央上縁線４１は頬当上縁線３１との接続位置４４から上方に傾斜して急勾配となる。
【００２３】
図３を一部拡大した図４に示すように、連続する上縁線は、中央上縁線４１と頬当上縁線３１との接続位置４４において折曲し、頬当上縁線３１を延長する仮想線Ａより、中央上縁線４１が上方に向うようにしている。中央上縁線４１がさらに上方に傾斜していることで、使用者の鼻元（鼻の付け根部分）まで中央遮蔽部４０が覆うようにしている。この中央上縁線４１と、接続位置４４から仮想線Ａと直交する方向に垂下する仮想線Ｂと、中央側の湾曲線４５の上側３分の１部分が鼻を覆う鼻遮蔽部分となる。
【００２４】
中央上縁線４１と同じく、中央遮蔽部４０の下縁４２も、頬当部３０の下縁３２との接続点より下方に向くように折曲し、鼻遮蔽部分と同じ領域を口遮蔽部分とし、上下対象の形態としている。
【００２５】
図３に示すように、中央遮蔽部４０の左側縁は２つ折りにした状態で上縁である中央上縁線４１の先端（図面上の左端）と、下縁４２の先端とを、外方に凸となるような湾曲する湾曲線４５で形成されている。この湾曲線４５が縫製する部分となり、図１に示すように、展開した状態では口元に立体的空間が形成されるような形態となる。また、中央遮蔽部４０の上縁である中央上縁線４１が頬当部３０の頬当上縁線３１よりも上方に折曲しているために、中央遮蔽部４０の上側部分においてマスク本体１を使用者が装着した状態で使用者の鼻先から鼻元まで覆うことができる。同様に下縁４２により形成される中央遮蔽部４０の下側部分において使用者の顎も覆うことができる。
【００２６】
次に、押え片５０について説明する。図２、３に示すように、押え片５０は、中央の押え片中央部５１と、押え片中央部５１の左右両側を延長しつつ延長方向に対向する方向（上下方向）である上下幅を徐々に短くする左右延長部５２，５２と、左右延長部５２，５２の先端の縁部分を湾曲縁にした先端部５３，５３とを有する。押え片５０は、押え片中央部５１から両側に向って先細り状となる左右延長部５２，５２を有する横長の略菱形形態である。
【００２７】
押え片５０の具体的寸法としては、一方の先端部５３から他方の先端部５３までの長さ（左右長さ）を７０ｍｍとし、押え片中央部５１の上下方向長さを１０ｍｍとしている。また、先端部５３，５３の上下方向長さが３．５ｍｍであり、押え片５０の中央から先端に掛けて上下方向長さが約３分の１程度になるように徐々に上下幅が先細り状にしている。
【００２８】
押え片５０は、マスク本体１の表面に圧着して配されている。押え片５０の配置位置は、マスク本体１の中央遮蔽部４０の上部である。具体的に言うと、マスク本体１の中央には上下に渡って縫製部分（湾曲線）４５が形成されているが、この縫製部分４５に押え片５０の押え片中央部５１が配されるようにしている。さらに、中央遮蔽部４０の上縁である中央上縁線４１から５ｍｍ空けて押え片５０を配している。この状態で中央上縁線４１，４１と押え片５０の左右延長部５２，５２の上縁線５２ａ，５２ａとが平行になる。
【００２９】
押え片５０の左右延長部５２，５２の先端となる先端部５３，５３は、中央上縁線４１，４１と頬当上縁線３１，３１との間の接続位置４４，４４の下方かつ中央側に位置するようにしている。具体的には、図４に示すように、中央上縁線４１と頬当上縁線３１との接続位置４４から仮想線Ａと直交する方向の下方に垂下する仮想線Ｂに向かう方向（下方）に先端部５３が位置している。また、押え片５０の中心線を延長した仮想線Ｃとの交点Ｄから先端部５３は中央側に位置している。この中央側に位置するのは交点Ｄから３〜７ｍｍ程度が好ましく、本実施形態では中央遮蔽部４０側に３ｍｍ中央側に位置させることが好適である。
【００３０】
押え片５０の表面に、押え片の表面形状と同じ略菱形形状の被覆材６０を配している。被覆材６０は、中央から両側に向って先細り状となる略菱形形状であり、樹脂製のフィルム材を用いている。被覆材６０を押え片５０の表面に張り付けているが、具体的には押え片５０の左右延長部５２，５２と被覆材６０とを接着し、押え片中央部５１と被覆材６０との間は接着せず、空隙６１が生じている。
【００３１】
押え片５０の機能について説明する。押え片５０は、最も上下幅が長い押え片中央部５１から徐々に上下幅を狭くした左右の左右延長部５２，５２を有している。使用状態では、押え片５０が使用者の鼻元位置（両目の間より少し下側付近）に位置するようにし、最も上下幅の長い押え片中央部５１が鼻元位置で鼻筋を覆うことで、押え片５０の押さえ状態を安定的にすることができる。
【００３２】
押え片５０の左右延長部５２，５２が先細り状になっていることから、左右延長部５２，５２の変形を容易に行うことができ、使用者の鼻元付近の鼻筋から鼻と頬の間の凹み部分に至るまで柔軟に左右延長部５２，５２を変形させることが可能になる。さらに、左右延長部５２，５２の上縁５２ａ，５２ａとマスク本体１の中央遮蔽部４０の中央上縁線４１，４１とが平行になることで、鼻の傾斜に応じて押え片を変形させたときにマスク本体の上縁が押え片の変形に対応することとなり、押え片により正確にマスク本体によって鼻口を遮蔽することが可能になる。
【００３３】
また、押え片の左右延長部５２，５２の先端部５３，５３が中央遮蔽部４０と頬当部３０との間の接続位置４４の下方に位置し、接続位置４４の垂下した位置より中央側に位置している。使用状態で中央遮蔽部４０は使用者の鼻や口元を遮蔽し、頬当部３０が左右の頬に当接するところ、両者の間の接続位置４４はちょうど鼻と頬の間の凹みに位置することになる。使用状態では左右の先端部５３，５３が鼻と頬の凹みに位置し、押え片５０の両端を鼻と頬の凹みに差し込むように固定させ、押え状態をフィットさせることができる。左右延長部５２，５２が頬に至るまで長くなると、顔面に凹凸に応じて湾曲を繰り返さなければならず隙間が生じることを防止し、鼻のみにフィットさせることで良好な押え状態を保持し、正確に押し付けることが可能になる。
【００３４】
金属片である押え片５０に被覆材６０が接着されていることにより、包装状態や使用状態で一部破損した場合に包装袋を破損させたり、使用者に怪我を負わせたりせず、安全に使用することができる。特に、本実施形態の押え片５０は、使用者の鼻元に配されるものであり、一部破損した押え片５０を着用時に使用者が転倒した場合に使用者の顔面を傷つけることもあり得ることから被覆材６０の接着により安全性に配慮したマスクを提供することが可能になる。
【００３５】
また、押え片５０の押え片中央部５１と被覆材６０との間に空隙６１を形成する。押え片の左右延長部５２，５２を押え片中央部５１を起点に曲げて使用するに際して、使用者は鼻にフィットさせるために何度も曲げを行うことになるが、空隙を起点となる中央部分に配することで曲げにより被覆材６０の接着が剥がれ落ちないようにすることができる。
【符号の説明】
【００３６】
１…マスク本体、２０…耳掛け部、３０…頬当部、３１…頬当上縁線、４０…中央遮蔽部、４１…中央上縁線、４４…接続位置、５０…押え片、５１…押え片中央部、５２…左右延長部、５２ａ…延長部上縁線、５３…先端部、６０…被覆材、６１…空隙。
【図１】
0003233473.tif 000003
【図２】
0003233473.tif 000004
【図３】
0003233473.tif 000005
【図４】
0003233473.tif 000006
【図５】
0003233473.tif 000007
【図６】
0003233473.tif 000008